(57)【要約】【課題】  シャッタ部材のロックを確実に解除する。【解決手段】  光ディスク２を収納するとともに、光ディスク２の一部を内外周に亘って外方に臨ませるヘッド部用開口部１３を設けられたカートリッジ本体５と、ヘッド部用開口部１３を開閉するシャッタ部２２を有し、ヘッド部用開口部１３を閉塞した位置と開放した位置との間に亘って移動可能にカートリッジ本体５に取り付けられたシャッタ部材２１と、シャッタ部材２１の一側から延長された連結アーム３５に連結された弾性変位片３６に設けられ、シャッタ部材２１がヘッド部用開口部１３を閉塞した位置にあるとき、カートリッジ本体５に設けた移動規制部６１に係止させてシャッタ部材２１のヘッド部用開口部１３を開放する方向への移動を規制するシャッタ移動規制部材１０１とを備える。【選択図】  図４
2006172522.tif 000002
【特許請求の範囲】
【請求項１】
ディスクと、
上記ディスクを回転可能に収納するとともに、上記ディスクの一部を内外周に亘って外方に臨ませる記録及び／又は再生用開口部が設けられたカートリッジ本体と、
上記記録及び／又は再生用開口部を開閉するシャッタ部を有し、上記記録及び／又は再生用開口部を閉塞した位置と上記記録及び／又は再生用開口部を開放した位置との間に亘って移動可能に上記カートリッジ本体に取り付けられたシャッタ部材と、
上記シャッタ部材の一側から延長された連結アームと、
上記連結アームの先端部側に基端部側を固定して上記連結アームに沿って延長するように取り付けられ、先端部側に、上記シャッタ部の基端部側に設けられて上記カートリッジ本体の一側面に対向する移動ガイド片に設けた窓部に臨ませされた押圧操作部が設けられ、上記押圧操作部を上記窓部からカートリッジ本体の外方に突出させるように付勢力が付与された弾性変位片と、
上記シャッタ部材に回動可能に設けられ、上記シャッタ部材が上記記録及び／又は再生用開口部を閉塞した位置にあるとき、上記カートリッジ本体に設けた移動規制部に係止部を係止させて上記シャッタ部材の上記記録及び／又は再生用開口部を開放する方向への移動を規制し、上記弾性変位片が上記押圧操作部を介して上記付勢力に抗して押圧されたとき、上記弾性変位片ともに回動して上記移動規制部への係止を解除する方向に回動するシャッタ移動規制部材とを備え、
上記係止部は、上記移動規制部側が円弧状をなすように形成されていることを特徴とするディスクカートリッジ。
【請求項２】
上記弾性変位片は、上記カートリッジ本体の外周壁の内面に沿うように形成されていることを特徴とする請求項１記載のディスクカートリッジ。
【請求項３】
上記弾性変位片は、上記シャッタ部材と一体的に形成されていることを特徴とする請求項１記載のディスクカートリッジ。
【請求項４】
上記カートリッジ本体は、上下一対のハーフを突き合わせ結合して形成され、
上記一対のハーフは、各ハーフの立ち上がり壁の端面を溶着して結合されることを特徴とする請求項１記載のディスクカートリッジ。
【請求項５】
上記カートリッジ本体には、記録及び／又は再生装置への挿入端と反対側に、位置決め孔が設けられ、
上記カートリッジ本体の記録及び／又は再生装置への挿入端側は、上記カートリッジ本体に収納されたディスクの中心を略中心として略半円弧状をなすように形成されていることを特徴とする請求項１記載のディスクカートリッジ。
【請求項６】
上記カートリッジ本体の記録及び／又は再生装置への挿入端側の外周壁は、上記カートリッジ本体内の上記ディスクを収納するディスク収納部の一部を形成する請求項５記載のディスクカートリッジ。
【発明の詳細な説明】
【技術分野】
【０００１】
本発明は、光ディスク等のディスクを収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への装脱を容易に行うことを可能としている。
【０００３】
この種のディスクカートリッジは、ディスク状記録媒体をカートリッジ本体に収納したままの状態で記録及び／又は再生装置に装着可能とすることから、カートリッジ本体には、ディスク状記録媒体を回転操作するためのディスク回転駆動機構を構成するターンテーブルを臨ませるための駆動用開口部と、ディスク状記録媒体の信号記録領域の一部を内外周に亘って外方に臨ませる記録及び／又は再生用開口部が設けられている。
【０００４】
そして、ディスク状記録媒体を収納したディスクカートリッジにあっては、カートリッジ本体に塵埃等が侵入しディスク状記録媒体が汚損されることを防止するため、少なくとも記録及び／又は再生用開口部を開閉するシャッタ部材が設けられている。
【０００５】
また、ディスクカートリッジがディスク記録及び／又は再生装置に装着されない保管時等に記録及び／又は再生用開口部が不用意に開放され、この開口部を介して手指等の異物がカートリッジ本体内に侵入してディスク状記録媒体を損傷してしまうようなことを防止するため、バネ部材等の付勢部材を用いてシャッタ部材を常時記録及び／又は再生用開口部を閉塞する方向に付勢するようにしたものが提供されている。
【０００６】
そして、シャッタ部材を付勢するバネ部材の取り付けを容易にするため、シャッタ部材にバネ部材に一体に設け、シャッタ部材のカートリッジ本体への取り付けと同時にカートリッジ本体に取り付けるようにしたものが特許文献１、特許文献２において提案されている。
【０００７】
そして、特許文献１に開示されるディスクカートリッジは、バネ部材によりシャッタ部材を記録及び／又は再生用開口部を閉塞する方向に付勢するのみであるので、例えば手指でシャッタ部材を把持する等してバネ部材の付勢力に抗して移動させようとすると、記録及び／又は再生用開口部を開放する方向に容易に移動してしまう。
【０００８】
また、特許文献２に記載されるディスクカートリッジは、更に、記録及び／又は再生用開口部を閉塞する位置に移動されたシャッタ部材を閉塞位置にロックするシャッタ移動規制部材が設けられている。このディスクカートリッジによれば、シャッタ部材はシャッタ移動規制部材によりロックされて確実に記録及び／又は再生用開口部を閉塞することができるが、シャッタ移動規制部材は、シャッタ部材とは独立してカートリッジ本体側に取り付けられているため、部品点数が増加するばかりか、組み立ても複雑になってしまう。また、カートリッジ本体内にシャッタ移動規制部材を取り付けるための空間が必要となり、ディスクカートリッジ自体の一層の小型化を図ることが困難となってしまう。
【０００９】
【特許文献１】特開平３−２１２８７２号公報
【特許文献２】実開昭６２−８３２７４号公報
【発明の開示】
【発明が解決しようとする課題】
【００１０】
本発明の目的は、上述したような従来のディスクカートリッジが有する問題点を解決することができる新規なディスクカートリッジを提供することにある。
【００１１】
本発明の他の目的は、記録及び／又は再生用開口部を確実に閉塞し、カートリッジ本体に収納したディスクの確実な保護を図ることができるディスクカートリッジを提供することにある。
【００１２】
本発明の他の目的は、シャッタ部材のロックを確実に解除することができるディスクカートリッジを提供することにある。
【課題を解決するための手段】
【００１３】
本発明に係るディスクカートリッジは、ディスクと、上記ディスクを回転可能に収納するとともに、上記ディスクの一部を内外周に亘って外方に臨ませる記録及び／又は再生用開口部が設けられたカートリッジ本体と、上記記録及び／又は再生用開口部を開閉するシャッタ部を有し、上記記録及び／又は再生用開口部を閉塞した位置と上記記録及び／又は再生用開口部を開放した位置との間に亘って移動可能に上記カートリッジ本体に取り付けられたシャッタ部材と、上記シャッタ部材の一側から延長された連結アームと、上記連結アームの先端部側に基端部側を固定して上記連結アームに沿って延長するように取り付けられ、先端部側に、上記シャッタ部の基端部側に設けられて上記カートリッジ本体の一側面に対向する移動ガイド片に設けた窓部に臨ませされた押圧操作部が設けられ、上記押圧操作部を上記窓部からカートリッジ本体の外方に突出させるように付勢力が付与された弾性変位片と、上記シャッタ部材に回動可能に設けられ、上記シャッタ部材が上記記録及び／又は再生用開口部を閉塞した位置にあるとき、上記カートリッジ本体に設けた移動規制部に係止部を係止させて上記シャッタ部材の上記記録及び／又は再生用開口部を開放する方向への移動を規制し、上記弾性変位片が上記押圧操作部を介して上記付勢力に抗して押圧されたとき、上記弾性変位片ともに回動して上記移動規制部への係止を解除する方向に回動するシャッタ移動規制部材とを備える。上記係止部は、上記移動規制部側が円弧状をなすように形成されている。
【発明の効果】
【００１４】
本発明に係るディスクカートリッジは、カートリッジ本体に設けた記録及び／又は再生用開口部を開閉するシャッタ部材が記録及び／又は再生用開口部を閉塞した位置にあるとき、シャッタ部材の記録及び／又は再生用開口部を開放する方向への移動を規制するシャッタ移動規制部材と、このシャッタ移動規制部材をカートリッジ本体に設けた移動規制部に係る方向に付勢する弾性変位片をシャッタ部材に設けるようにしているので、記録及び／又は再生用開口部を閉塞した位置にあるシャッタ部材が開放方向に移動することを規制し、記録及び／又は再生用開口部を確実に閉塞し、カートリッジ本体に収納したディスクの確実な保護を図ることができる。
【００１５】
また、シャッタ移動規制部材の係止部は、円弧状をなすように形成されていることから、カートリッジ本体側の移動規制部と円滑に係脱するので、記録及び／又は再生装置に装着されたとき、確実にシャッタロックが解除される。
【発明を実施するための最良の形態】
【００１６】
以下、本発明を適用したディスクカートリッジについて、図面を参照して説明する。
【００１７】
本発明に係るディスクカートリッジ１を説明すると、このディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。上下ハーフ３，４は、例えばポリカーボネート等の合成樹脂材料を成型して形成される。
【００１８】
このディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００１９】
このディスクカートリッジ１を構成するカートリッジ本体５は、図１乃至図３に示すように、このディスクカートリッジ１が装脱されるディスク記録及び／又は再生装置への挿入端側となる一の側面である前面側を円弧状部７として形成している。この円弧状部７は、図３に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００２０】
カートリッジ本体５の円弧状部７に連続する相対向する側面は、互いに平行な側面８，９として形成され、円弧状部７と対向する背面側は、なだらかに湾曲して連続する湾曲部１０として形成されている。すなわち、カートリッジ本体５の背面側は、カートリッジ本体５の前面側に構成された半円状の円弧状部７より大きな半径である円弧状部７より曲率が小さい湾曲部１０とされている。
【００２１】
ディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。更に、このディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００２２】
このディスクカートリッジ１は、カートリッジ本体５の下面側を構成する下ハーフ４の中央部に、図２及び図３に示すように、カートリッジ本体５に収納した光ディスク２の中心部に形成したセンター穴１１及びその周縁を外方に臨ませる円形の駆動部用開口部１２が形成されている。駆動部用開口部１２は、ディスクカートリッジ１が装着されるディスク記録及び／又は再生装置側に設けられたディスク回転駆動機構の一部を構成する例えばターンテーブルが進入する。すなわち、駆動部用開口部１２は、光ディスク２を回転駆動させるための機構の一部が進入する開口部として機能する。
【００２３】
また、下ハーフ４には、図２及び図３に示すように、記録及び／又は再生用開口部を構成するヘッド部用開口部１３が形成されている。ヘッド部用開口部１３は、カートリッジ本体５の一方の側面８側に位置し、駆動部用開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図２に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、駆動部用開口部１２に連続することなく、駆動部用開口部１２との間に連接部を残して形成されているので、下ハーフ４の機械的強度を維持することができる。
【００２４】
下ハーフ４に突き合わせ結合されてカートリッジ本体５の上面側を構成する上ハーフ３の光ディスク２と対向する面は、図１に示すように、開口部等が設けられることなく平坦な面とされている。この上ハーフ３は、例えば光透過性を有し、内部に収納した光ディスクを目視することができるようになっている。例えば、ユーザは、光ディスク２の表面に印刷された内容を、上ハーフ３を介して見ることができる。
【００２５】
カートリッジ本体５の周面を構成する外周壁１５は、上下ハーフ３，４の突き合わせ面側に形成した立ち上がり周壁１６，１７を突き合わせることによって形成される。上下ハーフ３，４は、立ち上がり周壁１６，１７の先端面を、熱又は超音波溶着することにより一体的に結合される。
【００２６】
また、下ハーフには、図２及び図３に示すように、このディスクカートリッジ１をディスク記録及び／又は再生装置に装着したとき、装着基準面となり、装置側に設けた位置決めピンが係合する第１及び第２の位置決め孔１８，１９が設けられている。なお、第１及び第２の位置決め孔１８，１９は、円形に形成されたディスク収納部６と湾曲部１０とにより囲まれた左右の各領域にそれぞれ設けられている。
【００２７】
上述のように構成されたカートリッジ本体５には、図１乃至図３に示すように、ヘッド部用開口部１３を開閉するシャッタ部材２１が取り付けられる。このシャッタ部材２１は、薄い金属板を打ち抜き折り曲げて形成され、若しくはポリカーボネート等の合成樹脂材料を成型して形成されたものであって、図２及び図３及びに示すように、ヘッド部用開口部１３を閉塞する足るに大きさの矩形状に形成した平板状のシャッタ部２２と、このシャッタ部２２の基板部側に形成された断面コ字状に形成されたカートリッジ支持部２３とを備える。シャッタ部２２の先端部には、カートリッジ本体５側に取り付けられるシャッタガイド部材２６により支持されるガイド支持部２４が設けられている。ガイド支持部２４は、図４及び図５に示すように、シャッタ部２２の先端部をカートリッジ本体５側に向かうように折り曲げて形成されている。このシャッタガイド部材２６も、ポリカーボネート等の合成樹脂材料を成型して形成される。シャッタガイド部材２６は、図３に示すように、下ハーフ４の駆動部用開口部１２を避けるようにして凹部２６ｂが形成されている。そして、シャッタガイド部材２６は、凹部２６ｂの両側部分２６ａに溶着リブを設け、下ハーフ４のシャッタスライド用凹部５８の駆動部用開口部１２側に超音波又は熱溶着するようにしている。
【００２８】
ところで、シャッタ部材２１は、カートリッジ本体５を構成する上ハーフ３側に形成されたスライドガイド部２５をカートリッジ支持部２３により支持することによってヘッド部用開口部１３を開閉する図１及び図２中矢印Ａ方向又は矢印Ｂ方向に移動可能に支持される。
【００２９】
シャッタ部材２１が支持されるスライドガイド部２５は、図４に示すように、ヘッド部用開口部１３を開閉するシャッタ部材２１の移動範囲に亘って上ハーフ３に形成されている。このスライドガイド部２５は、上ハーフ３に形成される立ち上がり周壁１６の一部に形成されており、シャッタ部材２１をカートリッジ本体５の一方の側面８の範囲内で支持するように形成されている。
【００３０】
そして、シャッタ部材２１に設けられるカートリッジ支持部２３は、図４及び図５に示すように、シャッタ部２２の基端部から垂直に立ち上がり形成され移動ガイド片２８を有し、この移動ガイド片２８の先端部にシャッタ部２２側に向かって折り曲げられた一対の第１の支持片２９，２９が形成されている。また、移動ガイド片２８の一方の側には、第１の支持片２９，２９が形成された位置より一段低い位置でＬ字状に折り曲げされた第２の支持片３０が設けられている。第２の支持片３０は、第１の支持片２９，２９共にスライドガイド部２５を挟持するように支持する。この第２の支持片３０の先端部には、第１の支持片２９側に突出するように係合片３１が折り曲げ形成されている。
【００３１】
また、移動ガイド片２８の他方の側には、第２の支持片３０と同一の高さ位置に位置されて、シャッタ部２２側に向かって突出するように折り曲げられた折り曲げ片３２が形成されている。この折り曲げ片３２は、第２の支持片３０と同様に、第１の支持片２９，２９とともにスライドガイド部２５を挟持するように支持する支持片として機能する。
【００３２】
そして、シャッタ部材２１のカートリッジ支持部２３を構成する移動ガイド片２８の一側から、図４及び図５に示すように、連結アーム３５が延長されている。すなわち、連結アーム３５は、図６に示すように、シャッタ部材２１がカートリッジ本体５に取り付けられたとき、ヘッド部用開口部１３を開放する方向に移動する側に位置する移動ガイド片２８の一側から延長するように形成されている。また、連結アーム３５は、シャッタ部材２１がカートリッジ本体５に取り付けられたとき、円弧状のディスク収納部６の外周面に沿って延在するように湾曲しながら移動ガイド片２８の一側から延長されている。すなわち、連結アーム３５は、シャッタ部２２のガイド支持部２４が設けられた先端側に向かって湾曲しながら延長されている。
【００３３】
そして、連結アーム３５の先端部側には、図６に示すように、基端部側を固定して連結アーム３５に沿って延長するようにして弾性変位片３６が連結されている。弾性変位片３６は、基板部側を連結アーム３５の先端部に溶着若しくは接着等の方法を用いて接合して連結される。このとき、連結アーム３５は、基端部側の折り曲げ部３６ａを連結アーム３５の先端部に突き当て、連結アーム３５に対する位置決めが図られている。
【００３４】
また、弾性変位片３６は、図６及び図７に示すように、シャッタ部２２の基端部側に設けられてカートリッジ本体５の一側面に対向する移動ガイド片２８に設けた窓部３８に至る長さを有するように形成され、窓部３８に臨む先端側に押圧操作部３９が設けられている。押圧操作部３９は、ディスクカートリッジ１がディスク記録及び／又は再生装置に装着されるとき、記録及び／又は再生装置側に設けられたシャッタ開放操作機構の一部であるシャッタ開放操作部によって押圧操作される部分である。
【００３５】
更に、弾性変位片３６は、先端部側が移動ガイド片２８の内面に圧接しながら押圧操作部３９が窓部３８から突出するような付勢力が付与されるように連結アーム３５に連結されている。すなわち、弾性変位片３６は、連結アーム３５に連結された基端部側から湾曲しながら移動ガイド片２８に向かって延長され、先端部側が移動ガイド片２８の内面に圧接にされることにより図６中矢印Ｃ方向の付勢力が付与されている。
【００３６】
弾性変位片３６の移動ガイド片２８に沿う部分は、移動ガイド片２８と平行に延長する直線部３６ｂとされ、連結アーム３５及び弾性変位片３６は、折り曲げ部３６ａ側が、シャッタ部材２１がヘッド用開口部１３を開放した位置にあるとき、図１１に示すように、カートリッジ本体５の湾曲部１０側のコーナ部を構成する上下ハーフ３，４の立ち上がり周壁１６，１７の内面、すなわちカートリッジ本体５の外周壁１５の内面の曲率と略一致するような曲率を有するように形成されている。これにより、シャッタ部材２１がヘッド用開口部１３を開放したとき、弾性変位片３６の反発力により、シャッタ部材２１が閉まる方向に移動することを防止することができる。
【００３７】
なお、連結アーム３５や弾性変位片３６は、シャッタ部材２１の材料と合わせて又は異ならせて形成して良く、例えば、ステンレス、アルミニウム等の金属片や合成樹脂で形成することができる。弾性変位片３６は、例えば、カートリッジ本体５の湾曲部１０側のコーナ部を構成する上下ハーフ３，４の立ち上がり周壁１６，１７の内面、すなわちカートリッジ本体５の外周壁１５の内面の曲率半径を５ｍｍ程度としたとき、その厚みを０．１４ｍｍ程度、幅を０．５ｍｍ〜１ｍｍ程度とすることによって反発力を５ｇ〜１０ｇ程度と極めて小さくすることができる。また、連結アーム３５と弾性変位片３６とは、板バネ状の金属長尺片を折曲して一体的に、すなわち一の付勢部材で構成しても良い。
【００３８】
また、上述した移動ガイド片２８の他方の側に形成された折り曲げ片３２には、シャッタ移動規制部材１０１が取り付けられる。シャッタ移動規制部材１０１は、図４及び図５に示すように、薄板状の金属板を打ち抜き折り曲げて形成されたものであって、一端側に押圧操作部１０２が設けられ、他端側に係止部１０３が設けられている。押圧操作部１０２は、シャッタ移動規制部材１０１の一端側の一側をほぼ垂直に折り曲げることによって形成されている。この押圧操作部１０２は、ディスクカートリッジ１がディスク記録及び／又は再生装置に装着されるとき、記録及び／又は再生装置側に設けられたシャッタ開放操作機構の一部であるシャッタ開放操作部によって押圧操作される。
【００３９】
なお、弾性変位部３６の先端側に設けられる押圧操作部３９は、シャッタ移動規制部材１０１の押圧操作部１０２の内側に位置し、押圧操作部１０２を図６中矢印Ｃ方向に押圧操作する部分となる。
【００４０】
また、係止部１０３は、シャッタ移動規制部材１０１の他端側の一側をほぼ垂直に折り曲げることによって形成される。この係止部１０３は、後述するように、シャッタ部材２１がカートリッジ本体５に取り付けられたとき、カートリッジ本体５側に設けられる移動規制部６１に係止し、ヘッド部用開口部１３を閉塞した位置にあるシャッタ部材２１がヘッド部用開口部１３を開放する方向に移動することを規制する。
【００４１】
係止部１０３は、具体的に、図８に示すように、カートリッジ本体５側に設けられる移動規制部６１と円滑に係脱するように、移動規制部６１と対向する側、すなわちシャッタ部材２１のスライド方向（図１中矢印Ａ方向）の端部側がＣ面又はＲ面で円弧状をなす曲面で形成されている。また、係止部１０３は、仮に、無理にシャッタ部材２１がスライドされようとしても、曲面で形成されていることから、移動規制部６１の損傷を防止することができる。この係止部１０３は、隣り合う２つの立ち上がり片１０３ａ，１０３ｂのコーナ部を略円弧をなすように折り曲げて形成されている。
【００４２】
そして、シャッタ移動規制部材１０１は、図６及び図７に示すように、シャッタ部材２１をカートリッジ本体５に取り付けたとき、カートリッジ本体５の一方の側面８に対向する移動ガイド片２８に設けた窓部３８に押圧操作部１０２を臨ませて折り曲げ片３２に取り付けられる。このとき、他端側に設けた係止部１０３は、シャッタ部材２１の折り曲げ片３２が設けられた他方の側から突出するように位置される。
【００４３】
また、シャッタ移動規制部材１０１は、折り曲げ片３２の中央部にバーリング加工を施して形成した筒状の突出部１０４に、中央部に穿設した貫通孔１０５を挿通し、突出部１０４の先端を押し潰し変形するカシメ加工を施すことによって、突出部１０４を中心にして回動可能に折り曲げ片３２に取り付けられる。
【００４４】
そして、シャッタ移動規制部材１０１は、押圧操作部１０２を移動ガイド片２８と弾性変位片３６との間に位置させて折り曲げ片３２に取り付けられることにより、押圧操作部１０２の背面側が弾性変位片３６により押圧されることになり、この押圧操作部１０２が窓部３８から突出する方向の図６中矢印Ｃ方向に回動付勢された状態に置かれ、係止部１０３がカートリッジ本体５側の移動規制部６１に確実に係止された状態なっている。シャッタ移動規制部材１０１は、押圧操作部１０２が弾性変位部３６の付勢力に抗して押圧されることにより、突出部１０４を中心にして図６中矢印Ｄ方向に回動される。そして、係止部１０３が移動規制部６１と係止した状態が解除されることになる。
【００４５】
なお、押圧操作部１０２の押圧操作は、ディスクカートリッジ１が記録媒体として用いられるディスク記録及び／又は再生装置のカートリッジホルダに、このディスクカートリッジ１００が挿入されるとき、カートリッジホルダ側に設けられたシャッタ開放操作機構９１のシャッタ開放操作部９３が窓部３８に進入することによって行われる。
【００４６】
上述したように、シャッタ部材２１に回動可能に取り付けられたシャッタ移動規制部材１０１は、シャッタ部材２１がヘッド部用開口部１３を閉塞した位置に移動されたとき、図９及び図１０に示すように、シャッタ移動規制部材１０１に設けた係止部１０３がカートリッジ本体５側に設けた移動規制部６１に対向する。そして、シャッタ部材２１がヘッド部用開口部１３を開放する図１０中矢印Ａ方向へ移動しようとすると、係止部１０３がカートリッジ本体５側に設けた移動規制部６１に当接してシャッタ部材２１の移動を規制し、シャッタ部２２によりヘッド部用開口部１３を閉塞した状態を維持する。
【００４７】
なお、カートリッジ本体５側の移動規制部６１は、図１０に示すように、下ハーフ４の内面に突設したディスク収納部６を構成する円弧状のディスク収納壁６ａのヘッド部用開口部１３に臨む一端側に連続して形成されている。この移動規制部６１は、先端部に傾斜面６１ａが形成されており、円滑に係合部１０３と係脱することができるようにしている。この傾斜面６１ａは、円弧状のディスク収納壁６ａの厚さ方向に、先端側に向かって肉薄となるように形成されている。
【００４８】
また、このディスク収納部６を構成する円弧状のディスク収納壁６ａは、記録及び／又は再生装置への挿入側となる円弧状部７において設けられておらず、外周壁を構成する立ち上がり周壁１６，１７がディスク収納部６の一部を構成する。
【００４９】
そして、ヘッド部用開口部１３を閉塞した位置にあって移動が規制されたシャッタ部材２１を移動してヘッド部用開口部１３を開放するためには、例えば、ディスク記録及び／又は再生装置のカートリッジホルダ側に設けられたシャッタ開放操作機構９１のシャッタ開放操作部９３を窓部３８に進入させ、押圧操作部３９，１０２を押圧してシャッタ移動規制部材１０１を図１０中矢印Ｄ方向に回動させる。シャッタ移動規制部材１０１が図１０中矢印Ｄ方向に回動すると、図９に示すように、係止部１０３がカートリッジ本体５の一方の側面８側に移動し、移動規制部６１に対向しない状態となる。その結果、シャッタ部材２１は、移動規制部６１により移動規制が解除された状態となって、ヘッド部用開口部１３を開放する図１９中矢印Ａ方向の移動が可能な状態となる。
【００５０】
上述したように、ディスクカートリッジ１は、ヘッド部用開口部１３を閉塞位置にあるシャッタ部材２１の開放方向への移動が規制されているので、カートリッジ本体５に収納した光ディスクの確実な保護を図ることができる。
【００５１】
ところで、上述のように構成されたシャッタ部材２１は、カートリッジ支持部２３によりスライドガイド部２５を支持してカートリッジ本体５に移動可能に取り付けられる。シャッタ部材２１を移動可能に支持するスライドガイド部２５は、図４及び図１２に示すように、上ハーフ３に設けられた立ち上がり周壁１６の一部に形成されている。このスライドガイド部２５は、図１２に示すように、シャッタ部材２１の移動方向と平行に立ち上がり周壁１６の外側面に形成されたガイド溝５１と、第１及び第２の支持片２９，３０とによって挟持されるように支持されるガイドレール部５２とから構成されている。
【００５２】
そして、ガイドレール部５２の外方側に臨む面は、上ハーフ３の平面に垂直な面とされている。この面は、スライドガイド部２５を構成する移動ガイド片２８の内側面と対向して、シャッタ部材２１の移動方向をガイドする第１のガイド壁５３を構成している。また、ガイドレール部５２の内方側に臨む面は、第１のガイド壁５３と平行な面とされている。この面は、第２の支持片３０及び折り曲げ片３２と対向して、シャッタ部材２１の移動方向をガイドする第２のガイド壁５４を構成している。更に、レール部５２の先端面は、第１及び第２のガイド壁５３，５４に垂直な面とされている。この面は、第２の支持片３０及び折り曲げ片３２と対向して、シャッタ部材２１の移動方向をガイドする第３のガイド壁５５を構成している。更に、レール部５２の第１のガイド壁５４から第２のガイド壁５５に亘る先端側のコーナ部は傾斜面部５６とされている。この傾斜面部５６は、シャッタ部材２１に設けた係合片３１，３３をレール部５２の第２のガイド壁５４側に係合された際の逃げ部として機能する。
【００５３】
このように構成されたスライドガイド部２５にシャッタ部材２１を支持するには、シャッタ部２２を下ハーフ４に設けたヘッド部用開口部１３上に延在するように配置し、次いで、カートリッジ支持部２３をスライドガイド部２５に係合させる。そして、カートリッジ支持部２３をスライドガイド部２５に支持させるには、まず、第１の支持片２９をガイド溝５１に係合し、次いで、係合片３１，３３を傾斜面部５６に沿わせながら、ガイドレール部５２の第２のガイド壁５４側に臨ませる。このように、第１の支持片２９をガイド溝５１に係合し、係合片３１，３３を第２のガイド壁５４側に臨ませることにより、シャッタ部材２１は、図１２に示すように、第１の支持片２９と第２の支持片３０及び折り曲げ片３２一部によりガイドレール部５２を挟持するようにして上ハーフ３に移動可能に支持される。
【００５４】
このとき、スライドガイド部２５は、移動ガイド片２８が第１のガイド壁５３に対向し、係合片３１，３３が第２のガイド壁５４に対向し、第２の支持片３０及び折り曲げ片３２が第３のガイド壁５５に対向するので、シャッタ部材２１の移動方向及びこの移動方向と直交するカートリッジ本体５の厚さ方向の移動が規制される。その結果、シャッタ部材２１は、大きなガタ付を発生させることなく、スライドガイド部２５に安定した状態でガイドされて移動可能となる。
【００５５】
また、シャッタ部材２１は、カートリッジ本体５に取り付けられたとき、シャッタ部２２の先端側に設けたガイド支持部２４が、図２に示すように、シャッタガイド部材２６により支持されるので、シャッタ部２２のカートリッジ本体５からの浮き上がりが防止でき、シャッタ部材２１の安定した移動を実現できる。
【００５６】
上述のように、カートリッジ本体５に取り付けられたシャッタ部材２１は、ガイドレール部５２にガイドされて、図３に示すように記録及び／又はヘッド部用開口部１３を閉塞した位置と、図２に示す記録及び／又はヘッド部用開口部１３を開放した位置との間に亘って移動する。
【００５７】
なお、本発明に係るディスクカートリッジ１において、シャッタ部材２１は、カートリッジ本体５の外周面から少なくとも突出しないように取り付けられる。具体的には、シャッタ部材２１は、カートリッジ本体５の外周面との面一となるように取り付けられる。すなわち、下ハーフ４側のシャッタ部２２が移動する領域には、図２及び図３に示すように、凹状のシャッタスライド用凹部５８が形成されている。シャッタスライド用凹部５８は、シャッタ部２２をカートリッジ本体５の表面から突出させないに足る深さをもって形成されている。また、カートリッジ支持部２３の移動ガイド片２８が移動するカートリッジ本体５の一方の側面８側にも、シャッタスライド用凹部５８に連続するガイド片用凹部５９が形成されている。このガイド片用凹部５９も、移動ガイド片２８をカートリッジ本体５の表面から突出させないに足る深さをもって形成されている。
【００５８】
また、シャッタ部材２１は、図３に示すように、記録及び／又はヘッド部用開口部１３を閉塞する位置に移動されたとき、シャッタ部２２の一側がシャッタスライド用凹部５８の立ち上がり面に当接し、更なる閉塞方向への移動が規制される。
【００５９】
このディスクカートリッジ１は、シャッタ部材２１に、このシャッタ部材２１がヘッド部用開口部１３を開放する方向に移動してしまうことを規制するシャッタ移動規制部材１０１を設けた弾性変位片３６を取り付けるようにしているので、部品点数の削減を図ることができ、更に、シャッタ移動規制部材１０１をシャッタ部材２１の折り曲げ片３２に一体に設けるようにしているので、カートリッジ本体５内にシャッタ移動規制部材１０１を配置するための空間を設ける必要がなくなり、ディスクカートリッジ１自体の一層の小型化が実現される。
【００６０】
次に、以上のようなディスクカートリッジ１を記録媒体に用いるディスク記録及び／又は再生装置への装着に関連してシャッタ部材２１を移動操作してヘッド部用開口部１３を開閉する状態を説明する。
【００６１】
ディスクカートリッジ１を記録媒体に用いるディスク記録及び／又は再生装置の一例を示す。このディスク記録及び／又は再生装置は、図１３に示すように構成されたディスクドライブ部７１を備える。ディスクドライブ部７１は、装置本体を構成する筐体内に配設されるものであって、矩形状に形成されたベース７２を備える。このベース７２には、このディスク記録及び／又は再生装置に装着されるディスクカートリッジ１に収納された光ディスク２を回転駆動するためのディスク回転駆動機構７３が取り付けられている。このディスク回転駆動機構７３は、光ディスク２が装着されるターンテーブル７４をベース７２の上面に突出するようにしてベース７２に取り付けられている。
【００６２】
また、ベース７２には、ディスク回転駆動機構７３に装着されて回転駆動される光ディスク２の信号記録領域を走査して、この光ディスク２に記録された情報信号の読み出しを行う光ヘッド部７５が取り付けられている。
【００６３】
なお、ディスクドライブ部７１が情報信号の記録及び再生を可能とするものとして構成されている場合には、光ヘッド部７５は、記録再生型のものが用いられる。光ヘッド部７５は、図示しないが、支持機構を介してディスク回転駆動機構７３に装着された光ディスク２の内外周に移動するように支持され、駆動モータを備えた送り機構により、光ディスク２の内外周に亘って送り操作される。
【００６４】
ベース７２の上面側には、カートリッジ装着部７６が構成されている。カートリジ装着部７６には、一対の位置決めピン７７，７８が設けられる共に、図示しない一対の支持ピンが設けられている。カートリッジ装着部７６上に装着されるディスクカートリッジ１は、第１及び第２の位置決め孔１８，１９をそれぞれ一対の位置決めピン７７，７８に係合し、支持ピンによって支持されることにより、水平方向及び高さ方向の位置決めが図られる。
【００６５】
また、ベース７２のカートリッジ装着部７６が構成された上面側には、ディスクカートリッジ１を保持し、このディスクカートリッジ１をカートリッジ装着部７６に装脱するカートリッジホルダ８１が設けられている。カートリッジホルダ８１は、上述したディスクカートリッジ１を保持するに足る大きさを有する矩形状に形成され、天板８２の相対向する両側には断面Ｌ字状に形成したカートリッジ支持部８３，８４が設けられている。このカートリッジホルダ８１の開放された前面側は、カートリッジ挿脱口８５とされている。ディスクカートリッジ１は、前面側の円弧状部７を挿入端として、カートリッジ挿脱口８５からカートリッジホルダ８１に挿脱される。
【００６６】
このカートリッジホルダ８１は、カートリッジ挿脱口８５が設けられた前面側に対向する背面側の両側に設けた支軸８６を介してベース７２に回動可能に支持されている。カートリッジホルダ８１に対するディスクカートリッジ１の挿脱は、ベース７２の上方側に回動させた状態で行われる。そして、カートリッジホルダ８１は、ディスクカートリッジ１が挿入保持された状態でベース７２側に回動されることにより、このディスクカートリッジ１をカートリッジ装着部７６に位置決めして装着する。
【００６７】
ところで、カートリッジホルダ８１には、このカートリッジホルダ８１にディスクカートリッジ１が挿入される際、シャッタ部材２１を移動操作してヘッド部用開口部１３を開放操作するシャッタ開放操作機構９１が設けられている。シャッタ開放操作機構９１は、図９に示すように、一方のカートリッジ支持部８３の外方側の側面に基端部９２ａを固定した長尺な板バネ９２を取り付け、この板バネ９２の先端側にカートリッジホルダ８１内に突出するシャッタ開放操作部９３を設けて構成されている。このシャッタ開放操作部９３は、板バネ９２の先端側の一部を折り返して形成されている。また、シャッタ開放操作部９３は、一方のカートリッジ支持部８３の側面に形成した切り欠き部８３ａを介してカートリッジホルダ８１内に突出している。
【００６８】
シャッタ開放操作機構９１は、カートリッジホルダ８１にディスクカートリッジ１が挿入されるとき、シャッタ部材２１に設けた窓部３８に進入し、押圧操作部３９，１０２を押圧して弾性変位片３６を図９中矢印Ｄ方向に回動させ、移動規制部６１にシャッタ移動規制部材１０１の係止部１０３が当接しないようにして、シャッタ部材２１をヘッド部用開口部１３を開放する方向に移動操作する。
【００６９】
上述したようなシャッタ開放操作機構９１を備えたカートリッジホルダ８１にディスクカートリッジ１が挿入されることにより、シャッタ部材２１が移動操作され、ヘッド部用開口部１３が開放される状態を更に具体的に説明する。
【００７０】
円弧状部７側を挿入端として、ディスクカートリッジ１を図９中矢印Ｘ方向からカートリッジホルダ８１に挿入していくと、シャッタ開放操作部９３がシャッタ部材２１の移動ガイド片２８上に乗り上げていく。このとき、板バネ９２は、シャッタ開放操作部９３が移動ガイド片２８により押圧されることにより、シャッタ開放操作部９３をカートリッジホルダ８１の外方に逃がすように、図９中矢印Ｅ方向に弾性変位される。
【００７１】
更にディスクカートリッジ１を図９中矢印Ｘ方向のカートリッジホルダ８１の内方に挿入していき、シャッタ開放操作部９３が移動ガイド片２８に設けた窓部３８に対向する位置に至ると、弾性変位されていた板バネ９２が、図９中矢印Ｆ方向に弾性復帰し、先端側のシャッタ開放操作部９３が窓部３８内に進入する。窓部３８に進入したシャッタ開放操作部９３は、押圧操作部３９を押圧して弾性変位片３６を図９中矢印Ｄ方向に弾性変位させる。弾性変位片３６が図９中矢印Ｄ方向に弾性変位すると、シャッタ移動規制部材１０１が同方向に回動し、係止部１０３が移動規制部６１に対向しない状態となる。その結果、シャッタ部材２１は、カートリッジ本体５側の移動規制部６１により移動規制が解除された状態となる。このとき、シャッタ部材２１は、窓部３８にシャッタ開放操作部９３が係合された状態におかれる。この状態から更にディスクカートリッジ１をカートリッジホルダ８１の内方に挿入すると、カートリッジ本体５がシャッタ部材２１に対し相対移動し、図１１に示すように、ヘッド部用開口部１３が開放されていく。そして、ディスクカートリッジ１が、カートリッジホルダ８１の所定の挿入位置まで挿入されると、ヘッド部用開口部１３の全部が開放された状態となる。
【００７２】
ところで、シャッタ開放操作部９３は、ディスクカートリッジ１がカートリッジホルダ８１に挿入された状態にあるとき、窓部３８に係合した状態を維持するので、シャッタ部材２１は、ヘッド部用開口部１３を開放した位置に保持される。
【００７３】
このようにヘッド部用開口部１３が開放されたカートリッジホルダ８１に挿入されたディスクカートリッジは、カートリッジホルダ８１がカートリッジ装着部７６側に回動されることにより、上述したようにカートリッジ装着部７６に位置決めして装着される。
【００７４】
ディスクカートリッジ１がカートリッジ装着部７６に装着されることにより、ディスクカートリッジ１に収納された光ディスク２は、ターンテーブル７４に装着され、ディスク回転駆動機構７３によって回転駆動可能な状態となる。このとき、開放されたヘッド部用開口部１３を介して光ヘッド部７５が光ディスク２に対向する。この状態でディスク回転駆動機構７３を駆動し、光ヘッド部７５を動作させることにより、光ディスク２に記録された情報信号の再生が可能となる。
【００７５】
そして、カートリッジ装着部７６に装着されたディスクカートリッジ１をイジェクトするには、光ディスク２の再生動作を停止し、ディスク記録及び／又は再生装置に設けられたイジェクト機構を操作し、カートリッジホルダ８１をカートリッジ装着部７６から離間したベース７２から上昇した位置に回動させると、ディスクカートリッジ１の背面側がカートリッジ挿脱口８５から突出する。カートリッジ挿脱口８５から突出した部分を把持してディスクカートリッジ１をカートリッジホルダ８１から引き出すと、シャッタ開放操作機構９１により保持されているシャッタ部材２１に対しカートリッジ本体５が相対移動し、シャッタ部材２１がヘッド部用開口部１３を閉塞した位置に移動する。ここから更にディスクカートリッジ１をカートリッジホルダ８１から引き出すと、シャッタ開放操作部９３が窓部３８から離脱し、押圧操作部３９の押圧を解除する。押圧操作部３９の押圧が解除された弾性変位片３６は、自身の付勢力により弾性復帰する。そして、シャッタ移動規制部材１０１は、弾性変位片３６とともに回動し、係止部１０３をカートリッジ本体５側に設けた移動規制部６１に当接させてシャッタ部材２１の移動を規制する状態となし、シャッタ部２２によりヘッド部用開口部１３を閉塞した状態を維持するようになる。
【００７６】
このように、ディスクカートリッジ１を用いるディスク記録及び／又は再生装置は、シャッタ開放操作機構９１として、板バネ９２の一端にシャッタ開放操作部９３を設けた簡単な構成のものを用いるので足りるので、装置自体の構成を簡素化でき、装置自体の小型化を図ることも容易となる。
【００７７】
上述した説明では、本発明を再生専用の光ディスクを収納した例を挙げて説明したが、本発明は、記録再生が可能な光ディスク等、その他のディスク状記録媒体を収納したディスクカートリッジにも適用でき、更に、クリーニングディスクを収納したディスクカートリッジにも適用でき、これらの場合においても、上述したディスクカートリッジに適用した場合と同様の利点を得ることができる。
【００７８】
また、上述した説明において、ディスクカートリッジの一層の小型化を実現するため、カートリッジ本体として前面側を円弧状部としたものを用いた例を挙げて説明したが、本発明は、このようなカートリッジ本体を用いるものに限定されることなく、従来広く用いられている矩形状のカートリッジ本体を用いたディスクカートリッジにも適用することができる。
【図面の簡単な説明】
【００７９】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】シャッタ部材と、シャッタ部材が取り付けられるカートリッジ本体を示す斜視図である。
【図５】シャッタ移動規制部が設けられた弾性変位片と、この弾性変位片が取り付けられるシャッタ部材を示す斜視図である。
【図６】シャッタ部材に弾性変位片を取り付けた状態を示す平面図である。
【図７】シャッタ部材に弾性変位片を取り付けた状態を示す移動ガイド片から見た正面図である。
【図８】シャッタ移動規制部材の斜視図である。
【図９】カートリッジホルダにディスクカートリッジを挿入した状態を示す平面図である。
【図１０】シャッタ部材がヘッド部用開口部を閉塞した状態を下ハーフの内面側から見た平面図である。
【図１１】シャッタ部材がヘッド部用開口部を開放した位置に移動した状態を下ハーフの内面側から見た平面図である。
【図１２】シャッタ部材を上ハーフ側に設けたガイドレール部に取り付けた状態を示す断面図である。
【図１３】ディスクカートリッジが装着されるディスク記録及び／又は再生装置のディスクドライブ部を示す斜視図である。
【符号の説明】
【００８０】
１  ディスクカートリッジ、２  光ディスク、３  上ハーフ、４  下ハーフ、５  カートリッジ本体、１３  ヘッド部用開口部、２１  シャッタ部材、２２  シャッタ部、２３  カートリッジ支持部、２８  移動ガイド片、３５  連結アーム、３６  弾性変位片、３９  押圧操作部、６１  移動規制部、６１ａ  傾斜面、１０３  係止部
【図１】
2006172522.tif 000003
【図２】
2006172522.tif 000004
【図３】
2006172522.tif 000005
【図４】
2006172522.tif 000006
【図５】
2006172522.tif 000007
【図６】
2006172522.tif 000008
【図７】
2006172522.tif 000009
【図８】
2006172522.tif 000010
【図９】
2006172522.tif 000011
【図１０】
2006172522.tif 000012
【図１１】
2006172522.tif 000013
【図１２】
2006172522.tif 000014
【図１３】
2006172522.tif 000015